(57)【要約】【課題】この発明は、ラッチングリレー回路を備える電源制御回路に関し、ラッチングリレー回路に係る誤動作を防止することを目的とする。【解決手段】この発明に係る電源制御回路は、外部電源に接続されるラッチングリレー回路（４）と、前記外部電源（１）を監視する外部電源監視回路（２）と、前記ラッチングリレー回路（４）後段の電源を監視する後段電源監視回路（７）と、前記外部電源監視回路から出力される外部電源の監視結果と前記後段電源監視回路から出力されるラッチングリレー回路（４）後段電源の監視結果に基づいて、前記ラッチングリレー回路（４）のON動作を指示する制御回路（５）を備えるように構成している。【選択図】  図１
2010268620.tif 000002
【特許請求の範囲】
【請求項１】
外部電源に接続されるラッチングリレー回路と、
前記外部電源を監視する外部電源監視回路と、
前記ラッチングリレー回路後段の電源を監視する後段電源監視回路と、
前記外部電源監視回路から出力される外部電源の監視結果と前記後段電源監視回路から出力されるラッチングリレー回路後段電源の監視結果に基づいて、前記ラッチングリレー回路のON動作を指示する制御回路を備えることを特徴とする電源制御回路。
【請求項２】
前記制御回路は、前記外部電源はON、前記並列回路後段電源はOFFの場合に、前記ラッチングリレー回路のON動作を指示することを特徴とする請求項１に記載の電源制御回路。
【請求項３】
前記制御回路は、前記ラッチングリレー回路に対してON動作指示した後に、前記外部電源の監視結果と前記ラッチングリレー回路後段電源の監視結果に基づいて、前記ラッチングリレー回路のON動作を指示することを特徴とする請求項１に記載の電源制御回路。
【請求項４】
前記ラッチングリレー回路は前段で外部電源に接続されることを特徴とする請求項１に記載の電源制御回路。
【請求項５】
外部電源に接続されるラッチングリレー回路と、
前記外部電源を監視する外部電源監視回路と、
前記ラッチングリレー回路後段の電源を監視する後段電源監視回路と、
前記外部電源監視回路から出力される外部電源の監視結果と前記後段電源監視回路から出力されるラッチングリレー回路後段電源の監視結果に基づいて、前記ラッチングリレー回路のON動作を指示する制御回路と、
前記ラッチングリレー回路後段に接続され、蓄電を行う蓄電回路を備えることを特徴とする電子機器。
【請求項６】
外部電源に接続されるラッチングリレー回路を備える電源回路の制御方法において、
前記外部電源の監視結果と、前記ラッチングリレー回路後段の電源監視結果を受信するステップと、
前記外部電源の監視結果と前記ラッチングリレー回路後段電源の監視結果に基づいて、前記ラッチングリレー回路のON動作を指示するステップを備えることを特徴とする電源回路の制御方法。
【請求項７】
前記外部電源はON、前記ラッチングリレー回路後段電源はOFFの場合に、前記ラッチングリレー回路のON動作を指示することを特徴とする請求項６に記載の電源回路の制御方法。
【請求項８】
前記ラッチングリレー回路に対してON動作指示した後に、前記外部電源の監視結果と前記並列回路後段電源の監視結果に基づいて、前記ラッチングリレー回路のON動作を指示することを特徴とする請求項７に記載の電源回路の制御方法。
【発明の詳細な説明】
【技術分野】
【０００１】
この発明は、ラッチングリレー回路を備える電源制御回路に関する。
【背景技術】
【０００２】
近年、リモートコントロール（リモコン）により、電気設備等の電源を制御する電源制御回路が普及している。
特許文献１には、ラッチングリレー回路を備える電源制御回路が開示されている。特許文献１には、リモコンから送信される、電源ON/OFF信号を判別するパルス検出回路により、電源の供給を制御するスイッチを制御する技術が開示されている。
【０００３】
特許文献１では、リモコンからのON/OFF信号ラインにノイズが発生した場合、ラッチングリレーが誤動作し、電気設備に誤って電源が供給されるという問題を解決するための手段が開示されている。
【０００４】
ラッチングリレー回路は、パルスによりスイッチON/OFFすることができるため、低消費電力であるというメリットがある。しかし、振動に不安定であるというデメリットがあり、スイッチが誤動作し易い（予期せずON/OFFしてしまう）という問題があった。
【０００５】
特許文献１においては、ラッチングリレー回路が振動に対して不安定であるという上記問題を解決することができなかった。長らく、この問題の解決が待たれていた。
【先行技術文献】
【特許文献】
【０００６】
【特許文献１】特開平１０−３２７５４３号公報
【発明の概要】
【発明が解決しようとする課題】
【０００７】
そこで、この発明は、上記事情を考慮してなされたもので、振動により、スイッチが誤動作し易いという問題を解決し、安定動作可能なラッチングリレー回路を備える電源制御回路および、電子機器を提供することを目的とする。
【課題を解決するための手段】
【０００８】
この発明に係る電源制御回路は、外部電源に接続されるラッチングリレー回路と、前記外部電源を監視する外部電源監視回路と、前記ラッチングリレー回路後段の電源を監視する後段電源監視回路と、前記外部電源監視回路から出力される外部電源の監視結果と前記後段電源監視回路から出力されるラッチングリレー回路後段電源の監視結果に基づいて、前記ラッチングリレー回路のON動作を指示する制御回路を備えるように構成している。
【０００９】
この発明に係る電子機器は、外部電源に接続されるラッチングリレー回路と、前記外部電源を監視する外部電源監視回路と、前記ラッチングリレー回路後段の電源を監視する後段電源監視回路と、前記外部電源監視回路から出力される外部電源の監視結果と前記後段電源監視回路から出力されるラッチングリレー回路後段電源の監視結果に基づいて、前記ラッチングリレー回路のON動作を指示する制御回路と、前記ラッチングリレー回路後段に接続され、蓄電を行う蓄電回路を備えるように構成している。
【００１０】
この発明に係る電源回路の制御方法は、外部電源の監視結果と、前記ラッチングリレー回路後段の電源監視結果を受信するステップと、前記外部電源の監視結果と前記ラッチングリレー回路後段電源の監視結果に基づいて、前記ラッチングリレー回路のON動作を指示するステップを備えるように構成している。
【発明の効果】
【００１１】
上記した構成によれば、安定動作可能なラッチングリレー回路を備える電源制御回路および、電子機器を提供することが可能になるという効果がある。
【図面の簡単な説明】
【００１２】
【図１】この発明の実施の形態に係る電子機器を示すブロック図。
【図２】この発明の実施の形態に係る電子機器において行われる動作を説明するフローチャート。
【発明を実施するための形態】
【００１３】
以下、図面を参照し、この発明の実施の形態を説明する。
図１は、この発明の実施の形態に係る電子機器を示すブロック図である。
符号１はAC電源、２はAC電源監視回路、３は復旧用スイッチ回路、４はラッチングリレー回路、５は制御回路（CPU）、６は電源回路、７は並列回路後段電源監視回路、８は充電回路、９は蓄電回路、１０は蓄電電源監視回路、１１は遠隔制御受信部、３０は電子機器である。電子機器３０は、例えばTV受信機である。
【００１４】
この発明の実施の形態に係る電源制御回路においては、ラッチングリレー回路４は、スイッチ回路３と並列に接続されている。
ラッチングリレー回路４の前段は、外部電源（AC電源）１に接続されている。外部電源監視回路２は外部電源１と接続され、外部電源１が監視される。監視結果（外部電源ON/OFF）は制御回路５に対して出力される。
【００１５】
また、ラッチングリレー回路４の後段は、後段電源監視回路７に接続され、ラッチングリレー回路４後段の電源が監視される。監視結果（ラッチングリレー回路４後段電源ON/OFF）は、制御回路５に対して出力される。
【００１６】
制御回路５は、外部電源監視回路２から出力される外部電源１の監視結果と、後段電源監視回路７から出力されるラッチングリレー回路４後段電源の監視結果を受信し、これらの監視結果に基づいて、ラッチングリレー回路４の動作を指示する。
【００１７】
この発明の実施の形態においては、具体的には、ラッチングリレー回路４のON動作を指示する。
まず、制御回路５は、ラッチングリレー回路４に対してON動作を指示する。このとき、ラッチングリレー回路４はＯＮ動作となる。続いて、制御回路５は、外部電源監視回路２から出力される外部電源１の監視結果、後段電源監視回路７から出力されるラッチングリレー回路４後段電源の監視結果の両方を受信する。
【００１８】
通常の状態では、制御回路５が受信する信号は、ラッチングリレー回路４はＯＮ動作を維持するため、外部電源監視回路２から出力される外部電源１はON状態、後段電源監視回路７から出力されるラッチングリレー回路４後段電源もOＮ状態である。
【００１９】
ここで、例えば、ユーザが電子機器（ＴＶ）３０に強く接触する等の事態が発生し、ラッチングリレー回路４の動作が不安定になった場合を想定する。
すなわち、ラッチングリレー回路４の動作が不安定になることにより、後段電源監視回路７から出力されるラッチングリレー回路４後段電源は、OFFとなる場合がある。
【００２０】
上記のように、制御回路５は、外部電源監視回路２から出力される外部電源１の監視結果、後段電源監視回路７から出力されるラッチングリレー回路４後段電源の監視結果の両方を受信している。
【００２１】
そして、制御回路５は、ラッチングリレー回路４の動作が不安定になることにより、外部電源監視回路２から出力される外部電源１はON状態、後段電源監視回路７から出力されるラッチングリレー回路４後段電源はOFF状態の信号を受信する。
【００２２】
このとき、制御回路５は、スイッチ回路３に対してON動作するように指示する。
すなわち、制御回路５は、AC電源１は供給されている（ON状態）にも係らず、ラッチングリレー回路４後段電源はOFF状態であることから、ラッチングリレー回路４の動作が不安定である（例えば許容できない程度の振動が発生した）と判断し、ラッチングリレー回路４のON動作を指示する。
【００２３】
この発明の実施の形態によれば、制御回路５は、外部電源監視回路２から出力される外部電源１の監視結果と、後段電源監視回路７から出力されるラッチングリレー回路４後段電源の監視結果の両方を受信し、これらの監視結果に基づいて、ラッチングリレー回路４の動作を指示する。
【００２４】
また、AC電源１は、ラッチングリレー回路４を介して電源回路6に接続され、電源回路6を介して内部回路へ電源供給される。
ここで、スイッチ回路3は、蓄電回路８により蓄えられた電荷が所定量以上放電されたときに、電源を復帰するために構成されている。充電回路8は、電源回路6の出力から蓄電回路9への充電を行っている。
【００２５】
蓄電電源監視回路10は、蓄電回路９によって蓄えられている電源を監視し、その情報を制御回路5へ出力する。また、遠隔制御受信部12はリモコン等の遠隔操作制御信号を受信し、制御部5へ出力する。
【００２６】
図２は、この発明の実施の形態に係る電子機器において行われる動作を説明するフローチャートである。
ここでは、電子機器（TV受信機）３０の初期設置を例にとり、説明する。
例えば、電子機器（TV受信機）３０の初期設置時に、ラッチングリレー回路４がON動作している状態において、ユーザが接触し、ラッチングリレー回路４が許容できない程度の振動が生じることがある。
【００２７】
符号S１０0は、ここでの開始ステップである。続いて符合Ｓ１０1を付したステップへ進む。
符号S１０1は、制御回路５が、ラッチングリレー回路４に対して、ON動作を指示するステップである。続いて符号S１０２を付したステップへ進む。
符号S１０２は、制御回路５が、電子機器３０に供給されるＡＣ電源１の監視結果および、ラッチングリレー回路４後段の電源監視結果を受信するステップである。
続いて符号S１０３を付したステップへ進む。
符号S１０３は、電子機器に供給されるＡＣ電源はＯＮ状態であるか、を検出するステップである。電子機器に供給されるＡＣ電源はＯＮ状態であること、が検出された場合は、符号Ｓ１０５を付したステップへ進む（Ｙｅｓ）。電子機器に供給されるＡＣ電源はＯＮ状態であること、が検出されない場合は、符号Ｓ１０４を付したステップへ進む（Ｎｏ）。
【００２８】
符号S１０４は、ラッチングリレー回路４後段の電源はＯＮ状態であるか、を検出するステップである。ラッチングリレー回路４後段の電源はＯＮ状態であること、が検出された場合は、符号Ｓ１０１を付したステップへ進み、上記説明した処理が繰り返される（Ｙｅｓ）。ラッチングリレー回路４後段の電源はＯＮ状態であること、が検出されない場合（ＯＦＦ状態）は、符号Ｓ１０５を付したステップへ進む（Ｎｏ）。
【００２９】
符号S１０５は、制御回路５が、ラッチングリレー回路４に対して、ＯＮ動作を指示するステップである。続いて、符号Ｓ１０１を付したステップへ進み、上記処理が繰り返される。
【００３０】
符号S１０６は、終了ステップであり、ここでの処理は終了する。
この発明の実施の形態においては、振動等の理由で、ラッチングリレー回路４がＯＦＦ状態となった場合に、制御回路５の指示により、ラッチングリレー回路４をＯＮ動作させ、ラッチングリレー回路４後段の電源出力がＯＮとなるように動作させることが可能となる。
【００３１】
スイッチ回路３は復旧用に用いられる。例えば、ユーザにTVが配達されたときに、蓄電回路9が無電荷状態かつ、ラッチングリレー回路４がOFFになってしまったとき、AC電源１が供給されず、ラッチングリレー回路４をONにすることができない。そこで、スイッチ回路３を押すことで、ラッチングリレー４を迂回し、AC電源１から電力が供給される。
【００３２】
制御回路(CPU)5自体は、ラッチングリレー制御しているので、ラッチングリレーが本来あるべき状態を知っている。このことと、ラッチングリレー回路４前段のAC電源監視と、ラッチングリレー回路４後段の電源監視の状態を見て、振動等でラッチングリレーがOFFしてしまったら、ラッチングリレー回路４をON指示する。このON/OFFはあくまでもラッチングリレーである。
【００３３】
これにより、制御回路(CPU)5が、ラッチングリレー回路４をONすることができる。
この後は、上記通常の状態に復帰する。通常の状態は、制御回路５が受信する信号は、ラッチングリレー回路４はＯＮ動作を維持するため、外部電源監視回路２から出力される外部電源１はON状態、後段電源監視回路７から出力されるラッチングリレー回路４後段電源もOＮ状態である。
【００３４】
上記説明したように、この発明の実施の形態においては、制御回路５は、外部電源監視回路２から出力される外部電源１の監視結果と、後段電源監視回路７から出力されるラッチングリレー回路４後段の電源の監視結果を受信し、両者の監視結果に基づいて、ラッチングリレー回路４のスイッチ回路３のＯＮ動作を指示する。
【００３５】
上記のように構成することにより、例えば振動により、ラッチングリレー回路４の出力電源がOFF状態となった場合においても、特にユーザの手を煩わすことなく、制御回路5が、再度、ラッチングリレー回路４をON状態にし、安定動作させることが可能になるという効果がある。また、安定動作可能なラッチングリレー回路を備える電源制御回路および、電子機器を提供することが可能になるという効果がある。
【００３６】
上記説明は、電子機器３０の一例としてTV受信機３０を用いた。しかし、この発明は、TV受信機３０に限られることなく、DVDプレーヤやレコーダ、HDDレコーダ等、一般の電子機器に適用することが可能である。
【００３７】
また、この発明は、上記した実施の形態そのままに限定されるものではなく、実施段階では、その趣旨を逸脱しない範囲で、構成要素を種々変形して具体化することが可能である。
【符号の説明】
【００３８】
１…AC電源、２…AC電源監視回路、３…復旧用スイッチ回路、４…ラッチングリレー回路、５…制御回路（CPU）、６…電源回路、７…並列回路後段電源監視回路、８…充電回路、９…蓄電回路、１０…蓄電電源監視回路、１１…遠隔制御受信部、３０…電子機器。
【図１】
2010268620.tif 000003
【図２】
2010268620.tif 000004
【手続補正書】
【提出日】平成22年4月19日(2010.4.19)
【手続補正１】
【補正対象書類名】特許請求の範囲
【補正対象項目名】全文
【補正方法】変更
【補正の内容】
【特許請求の範囲】
【請求項１】
外部電源に接続され該外部電源からの電源供給をオンオフするラッチングリレーと、
前記ラッチングリレーに入力される前記外部電源の電源供給の有無を監視する外部電源監視回路および前記ラッチングリレーの出力の有無を監視する後段電源監視回路を有し前記ラッチングリレーの状態を監視するリレー監視部と、
前記外部電源監視回路による監視結果および前記後段電源監視回路による監視結果に基づいて、前記ラッチングリレーをオン制御またはオフ制御する制御部とを備え、
前記制御部は、前記ラッチングリレーをオン制御した後、前記外部電源の電源供給がある状態で前記ラッチングリレーの出力がない場合に、前記ラッチングリレーを再度オン制御すること
を特徴とする電源制御回路。
【請求項２】
請求項１記載の電源制御回路と、
前記ラッチングリレーの出力に接続され、蓄電を行う蓄電回路と
を備えることを特徴とする電子機器。
【請求項３】
外部電源に接続され該外部電源からの電源供給をオンオフするラッチングリレーを備える電源回路の制御方法において、
前記ラッチングリレーをオンにする第１のオン制御ステップと、
前記ラッチングリレーに入力される前記外部電源の電源供給の有無および前記ラッチングリレーの出力の有無を監視する監視ステップと、
前記監視ステップによる監視の結果、前記外部電源の電源供給がある状態で前記ラッチングリレーの出力がない場合に、前記ラッチングリレーを再度オン制御する第２のオン制御ステップと
を備えることを特徴とする電源回路の制御方法。
【手続補正２】
【補正対象書類名】明細書
【補正対象項目名】０００８
【補正方法】変更
【補正の内容】
【０００８】
この発明に係る電源制御回路は、外部電源に接続され該外部電源からの電源供給をオンオフするラッチングリレーと、ラッチングリレーに入力される外部電源の電源供給の有無を監視する外部電源監視回路およびラッチングリレーの出力の有無を監視する後段電源監視回路を有しラッチングリレーの状態を監視するリレー監視部と、外部電源監視回路による監視結果および後段電源監視回路による監視結果に基づいて、ラッチングリレーをオン制御またはオフ制御する制御部とを備え、制御部は、ラッチングリレーをオン制御した後、外部電源の電源供給がある状態で前記ラッチングリレーの出力がない場合に、ラッチングリレーを再度オン制御することを特徴としている。
【手続補正３】
【補正対象書類名】明細書
【補正対象項目名】０００９
【補正方法】変更
【補正の内容】
【０００９】
この発明に係る電子機器は、外部電源に接続され該外部電源からの電源供給をオンオフするラッチングリレーと、ラッチングリレーに入力される外部電源の電源供給の有無を監視する外部電源監視回路およびラッチングリレーの出力の有無を監視する後段電源監視回路を有しラッチングリレーの状態を監視するリレー監視部と、外部電源監視回路による監視結果および後段電源監視回路による監視結果に基づいて、ラッチングリレーをオン制御またはオフ制御する制御部とを備え、制御部は、ラッチングリレーをオン制御した後、外部電源の電源供給がある状態で前記ラッチングリレーの出力がない場合に、ラッチングリレーを再度オン制御することを特徴とする電源制御回路と、ラッチングリレーの出力に接続され、蓄電を行う蓄電回路とを備えるように構成している。
【手続補正４】
【補正対象書類名】明細書
【補正対象項目名】００１０
【補正方法】変更
【補正の内容】
【００１０】
この発明に係る電源回路の制御方法は、外部電源に接続され該外部電源からの電源供給をオンオフするラッチングリレーを備える電源回路の制御方法において、ラッチングリレーをオンにする第１のオン制御ステップと、ラッチングリレーに入力される外部電源の電源供給の有無およびラッチングリレーの出力の有無を監視する監視ステップと、監視ステップによる監視の結果、外部電源の電源供給がある状態でラッチングリレーの出力がない場合に、ラッチングリレーを再度オン制御する第２のオン制御ステップとを備えるように構成している。
【手続補正書】
【提出日】平成22年9月17日(2010.9.17)
【手続補正１】
【補正対象書類名】明細書
【補正対象項目名】０００８
【補正方法】変更
【補正の内容】
【０００８】
この発明に係る電源制御回路は、外部電源に接続され該外部電源からの電源供給をオンオフするラッチングリレーと、ラッチングリレーに入力される外部電源の電源供給の有無を監視する外部電源監視回路およびラッチングリレーの出力の有無を監視する後段電源監視回路を有しラッチングリレーの状態を監視するリレー監視部と、ラッチングリレーを制御した制御内容、外部電源監視回路による該制御されたラッチングリレーの監視結果、および後段電源監視回路による該制御されたラッチングリレーの監視結果に基づいて、ラッチングリレーをオン制御またはオフ制御する制御部とを備え、制御部は、ラッチングリレーをオン制御した後、外部電源の電源供給がある状態で前記ラッチングリレーの出力がない場合に、ラッチングリレーを再度オン制御することを特徴としている。
【手続補正２】
【補正対象書類名】明細書
【補正対象項目名】０００９
【補正方法】変更
【補正の内容】
【０００９】
この発明に係る電子機器は、外部電源に接続され該外部電源からの電源供給をオンオフするラッチングリレーと、ラッチングリレーに入力される外部電源の電源供給の有無を監視する外部電源監視回路およびラッチングリレーの出力の有無を監視する後段電源監視回路を有しラッチングリレーの状態を監視するリレー監視部と、ラッチングリレーを制御した制御内容、外部電源監視回路による該制御されたラッチングリレーの監視結果、および後段電源監視回路による該制御されたラッチングリレーの監視結果に基づいて、ラッチングリレーをオン制御またはオフ制御する制御部とを備え、制御部は、ラッチングリレーをオン制御した後、外部電源の電源供給がある状態で前記ラッチングリレーの出力がない場合に、ラッチングリレーを再度オン制御することを特徴とする電源制御回路と、ラッチングリレーの出力に接続され、蓄電を行う蓄電回路とを備えるように構成している。
【手続補正３】
【補正対象書類名】明細書
【補正対象項目名】００１０
【補正方法】変更
【補正の内容】
【００１０】
この発明に係る電源回路の制御方法は、外部電源に接続され該外部電源からの電源供給をオンオフするラッチングリレーを備える電源回路の制御方法において、ラッチングリレーをオンにする第１のオン制御ステップと、ラッチングリレーに入力される外部電源の電源供給の有無およびラッチングリレーの出力の有無を監視する監視ステップと、第１のオン制御ステップにより制御した制御内容および監視ステップによる監視の結果に基づいて、第１のオン制御ステップによりラッチングリレーをオン制御した後、外部電源の電源供給がある状態でラッチングリレーの出力がない場合に、ラッチングリレーを再度オン制御する第２のオン制御ステップとを備えるように構成している。
【手続補正４】
【補正対象書類名】特許請求の範囲
【補正対象項目名】全文
【補正方法】変更
【補正の内容】
【特許請求の範囲】
【請求項１】
外部電源に接続され該外部電源からの電源供給をオンオフするラッチングリレーと、
前記ラッチングリレーに入力される前記外部電源の電源供給の有無を監視する外部電源監視回路および前記ラッチングリレーの出力の有無を監視する後段電源監視回路を有し前記ラッチングリレーの状態を監視するリレー監視部と、
前記ラッチングリレーを制御した制御内容、前記外部電源監視回路による前記制御されたラッチングリレーの監視結果、および前記後段電源監視回路による前記制御されたラッチングリレーの監視結果に基づいて、前記ラッチングリレーをオン制御またはオフ制御する制御部とを備え、
前記制御部は、前記ラッチングリレーをオン制御した後、前記外部電源の電源供給がある状態で前記ラッチングリレーの出力がない場合に、前記ラッチングリレーを再度オン制御すること
を特徴とする電源制御回路。
【請求項２】
請求項１記載の電源制御回路と、
前記ラッチングリレーの出力に接続され、蓄電を行う蓄電回路と
を備えることを特徴とする電子機器。
【請求項３】
外部電源に接続され該外部電源からの電源供給をオンオフするラッチングリレーを備える電源回路の制御方法において、
前記ラッチングリレーをオンにする第１のオン制御ステップと、
前記ラッチングリレーに入力される前記外部電源の電源供給の有無および前記ラッチングリレーの出力の有無を監視する監視ステップと、
前記第１のオン制御ステップにより制御した制御内容および前記監視ステップによる監視の結果に基づいて、前記第１のオン制御ステップにより前記ラッチングリレーをオン制御した後、前記外部電源の電源供給がある状態で前記ラッチングリレーの出力がない場合に、前記ラッチングリレーを再度オン制御する第２のオン制御ステップと
を備えることを特徴とする電源回路の制御方法。